(57)【要約】【課題】  ユーザが手慣れて入力の容易な母国語が入力されれば、入力された母国語を外国語及び特殊文字に変換する携帯電話並びにその単語変換及び音声出力方法を提供する。【解決手段】  本発明の携帯電話並びにその単語変換及び音声出力方法によれば、第１単語が入力されれば、入力された第１単語をユーザが変換しようとする第２単語に変換して表示し、第２単語に対する音声データを抽出し、抽出された音声データを出力する。また、本発明の携帯電話及びその複合映像処理方法によれば、音声信号及び映像信号を含む複合映像信号を受信し格納し、格納された複合映像信号の再生位置と１倍速を超過する再生倍速とを入力し、入力された再生位置で前記入力された再生倍速で格納された複合映像の音声及び映像を再生する。【選択図】      図１０
2008301497.tif 000002
【特許請求の範囲】
【請求項１】
音声信号及び映像信号を含む複合映像信号を受信し格納する格納段階と、
前記格納された複合映像信号の再生位置と１倍速を超過する再生倍速とを入力する入力段階と、
前記入力された再生位置で前記入力された再生倍速で前記格納された複合映像の音声及び映像を再生する再生段階と、を含むことを特徴とする携帯電話の音声及び映像処理方法。
【請求項２】
前記複合映像信号は、音声信号及び映像信号を含み、前記携帯電話のカメラで撮影した動画像、受信されたデジタル放送、及びダウンロードされた動画像を含むことを特徴とする請求項１に記載の携帯電話の音声及び映像処理方法。
【請求項３】
前記格納段階は、
前記複合映像信号を受信する段階と、
格納開始命令の入力によって前記受信された複合映像信号を映像信号と音声信号とに分離する段階と、
前記分離した音声信号及び映像信号をそれぞれデジタル信号に変換及び圧縮し格納する段階と、
格納終了命令の入力によって前記受信された複合映像信号の格納を終了する段階と、を含むことを特徴とする請求項２に記載の携帯電話の音声及び映像処理方法。
【請求項４】
前記入力段階は、
前記格納された複合映像のうち再生すべき複合映像を選択する段階をさらに含むことを特徴とする請求項３に記載の携帯電話の音声及び映像処理方法。
【請求項５】
前記再生段階は、
前記選択された複合映像の圧縮された音声信号及び映像信号を伸長させて、視聴可能な音声信号及び映像信号にそれぞれ変換する段階と、
前記変換された音声信号及び映像信号を前記入力された再生倍速によって処理する段階と、
前記処理された音声信号及び映像信号を前記入力された再生位置から出力する段階と、を含むことを特徴とする請求項４に記載の携帯電話の音声及び映像処理方法。
【請求項６】
前記受信段階で実時間で前記複合映像信号を受信する場合、
前記受信された複合映像信号を圧縮し格納すると同時に、前記入力された再生倍速で処理し、前記入力された再生位置から出力することを特徴とする請求項３に記載の携帯電話の音声及び映像処理方法。
【請求項７】
音声信号及び映像信号を含む複合映像信号を受信する受信部と、
前記受信された複合映像信号を格納する格納部と、
前記格納された複合映像信号の再生位置と１倍速を超過する再生倍速とを入力される入力部と、
前記入力された再生位置で前記入力された再生倍速で前記格納された複合映像の音声及び映像を再生する制御部と、を含むことを特徴とする携帯電話。
【請求項８】
前記受信部は、マイク、カメラ、放送受信部または通信部のうち少なくとも１つを含むことを特徴とする請求項７に記載の携帯電話。
【請求項９】
前記入力部を介した格納開始命令の入力によって前記受信された複合映像信号を映像信号と音声信号とに分離する分離部と、
前記分離した音声信号及び映像信号をそれぞれデジタル信号に変換及び圧縮して前記格納部に格納し、前記入力部を介した格納終了命令の入力によって前記受信された複合映像信号の格納を終了する圧縮／解除部と、を含むことを特徴とする請求項８に記載の携帯電話。
【請求項１０】
前記入力部は、前記格納された複合映像のうち再生すべき複合映像の選択信号を入力されることを特徴とする請求項９に記載の携帯電話。
【請求項１１】
前記選択された複合映像の圧縮された音声信号及び映像信号を伸長させて、視聴可能な音声信号及び映像信号にそれぞれ変換する変換部と、
前記変換された音声信号及び映像信号を前記入力された再生倍速によって処理する処理部と、
前記処理された音声信号及び映像信号を前記入力された再生位置から出力する出力部と、をさらに含むことを特徴とする請求項１０に記載の携帯電話。
【請求項１２】
前記受信部が実時間で前記複合映像信号を受信する場合、
前記受信された複合映像信号を前記圧縮／解除部が圧縮し格納すると同時に、前記処理部が前記入力された再生倍速で処理し、前記入力された再生位置から出力することを特徴とする請求項９に記載の携帯電話。
【請求項１３】
第１単語を入力される入力段階と、
前記入力された第１単語に対応する少なくとも１つの変換類型を画面に提供する提供段階と、
前記提供された変換類型から選択された変換類型で前記第１単語を第２単語に変換する変換段階と、
前記変換された第２単語を前記画面に表示する表示段階と、
前記表示された第２単語に対する音声出力要請が入力されれば、前記第２単語に該当する音声データを出力する出力段階と、を含むことを特徴とする携帯電話の単語変換及び音声出力方法。
【請求項１４】
前記変換段階は、
前記表示された変換類型から特定の変換類型を選択する段階と、
前記選択された変換類型に対応する変換テーブルをテキストＤＢから抽出する段階と、
前記抽出された変換テーブルを検索し、前記第１単語にマッピングされた前記第２単語を抽出し、前記第１単語を前記第２単語に変換する段階と、を含み、
前記抽出された第２単語が多数である場合、前記多数の第２単語を表示する段階と、
前記多数の第２単語のうち１つが選択されれば、前記第１単語を前記選択された第２単語に変換する段階と、を含むことを特徴とする請求項１３に記載の携帯電話の単語変換及び音声出力方法。
【請求項１５】
前記表示段階前に行われる、
前記画面の分割可否と前記音声データの出力速度を設定する設定段階をさらに含み、
前記表示段階は、
前記画面分割が設定されていない場合、前記変換された第２単語だけを表示するか、または前記入力された第１単語及び前記変換された第２単語を共に表示し、
前記画面分割が設定された場合、前記画面を分割し、前記分割された画面にそれぞれ前記入力された第１単語と前記変換された第２単語とを分離して表示することを特徴とする請求項１４に記載の携帯電話の単語変換及び音声出力方法。
【請求項１６】
前記出力段階は、
前記表示された第２単語に対する音声出力要請を入力される段階と、
前記第２単語に該当する音声データを音声ＤＢから抽出し、前記第２単語を前記音声データに変換する段階と、
前記変換された音声データを出力する段階と、含むことを特徴とする請求項１５に記載の携帯電話の単語変換及び音声出力方法。
【請求項１７】
第１単語を入力される入力部と、
前記入力された第１単語に対応する少なくとも１つの変換類型を提供し、前記提供された変換類型から選択された変換類型で前記第１単語を第２単語に変換する単語変換部と、
前記入力された第１単語、前記提供された変換類型及び前記変換された第２単語を画面に表示する映像出力部と、
前記入力部を介して前記第２単語に対する音声出力要請が入力されれば、前記第２単語に該当する音声データに変換して出力する音声変換部と、を含むことを特徴とする単語変換及び音声出力機能を有する携帯電話。
【請求項１８】
前記多数の変換類型に対応する多数の変換テーブルを格納するテキストＤＢと、
前記第２単語にマッピングされる前記音声データを格納する音声ＤＢと、を備える格納部をさらに含み、
前記単語変換部は、
前記入力部を介して前記表示された変換類型から特定の変換類型が選択されれば、前記選択された変換類型に該当する変換テーブルを前記テキストＤＢから抽出し、前記抽出された変換テーブルを検索して前記第１単語にマッピングされた前記第２単語を抽出し、前記第１単語を前記第２単語に変換し、
前記音声変換部は、
前記入力部を介して前記表示された第２単語に対する音声出力要請が入力されれば、前記第２単語に該当する音声データを前記音声ＤＢから抽出し、前記第２単語を前記音声データに変換することを特徴とする請求項１７に記載の単語変換及び音声出力機能を有する携帯電話。
【請求項１９】
前記単語変換部は、
前記抽出された第２単語が多数である場合、前記多数の第２単語を前記画面に表示し、
前記多数の第２単語のうち１つが選択されれば、前記第１単語を前記選択された第２単語に変換することを特徴とする請求項１８に記載の単語変換及び音声出力機能を有する携帯電話。
【請求項２０】
前記入力部を介して入力された音声データの出力速度を前記格納部に格納し、前記入力部を介して入力されるか、または前記格納された出力速度で前記第２単語に該当する前記音声データを出力するように制御する速度調節部と、
前記入力部を介して入力された前記画面の分割個数を前記格納部に格納し、前記格納された分割個数で前記画面を分割して、前記第１単語及び第２単語を分離して表示するように制御する画面分割部と、をさらに含むことを特徴とする請求項１９に記載の単語変換及び音声出力機能を有する携帯電話。
【発明の詳細な説明】
【技術分野】
【０００１】
本発明は、携帯電話及びその機能実行方法に関し、具体的には、入力された単語を他の単語に変換して音声として出力し、複合映像をユーザが選択した位置で選択した再生倍速で再生する携帯電話及びその機能実行方法に関する。
【背景技術】
【０００２】
携帯電話市場は、消費者の購買を刺激する新しい技術及び機能に伴って、短期間に非常に速い成長を続けてきた。特に携帯電話は、その技術の発達に伴って、単純なアプリケーションを行う段階を超えてユーザの要求に合った多様なアプリケーションが設置されている。これにより、ユーザは、携帯電話を介して音声情報、文字情報、画像情報、ＭＰ３（MPEG(Moving Picture Experts Group)layer 3）、ゲームなどを利用することができる。
【０００３】
一方、ユーザは、コンピューターや電子辞典などのような器機を利用して単語を入力する時、主に手慣れた母国語でタイピングすることで単語を入力する。特に、漢字を入力する場合には、入力しようとする単語を母国語でタイピングした後に、タイピングされた単語を漢字に変換しなければならないし、日本語を入力する場合には、日本語発音を英語でタイピングした後に、日本語に変換しなければならない煩わしさがある。さらに、一般的に、携帯電話では、キーパッドを介して漢字を入力することができないという不都合がある。
【０００４】
携帯電話ユーザは、文字メッセージサービスを多く使用するが、文字メッセージを使用する場合、ユーザの感情が充実に伝達されない場合が頻繁に発生する。このため、ユーザは、文字、数字、符号などを組み合わせてイモティコン（Emotion Icon)を使用して多様な感情及び意思を表現しているが、イモティコンを入力するためには、多くのキー入力を必要とするので、使用が不便である。
【０００５】
ユーザは、音声通話、文字メッセージ送受信、音楽及び動画像感想、語学能力向上のために携帯電話、ＭＰ３プレーヤー、ＰＭＰ、電子辞典などの機器を全部携帯しなければならない不便さがある。
【０００６】
また、語学学習、資格証取得及び就業準備などのために、音声及び映像講義を活用する人々が増えている。これは、講義を聞くために、学校及び学院を必ず訪問しなければならない煩わしさを無くし、受講生の時間及び努力を節約する側面から多くの長所がある。
【０００７】
このような音声及び映像講義は、受講時間を節約し集中力を強化するために、１．５倍速、２倍速などで早く再生する場合を多く見ることができる。音声を速く聞くことを速聴と言い、このような速聴は、頭脳開発のために多く使用する方法である。速聴を通じて多量の情報が高速に流入されれば、脳中の言語中枢と呼ばれるウェルニッケ中枢が一層鋭敏になる。ここで処理された情報は、脳の各部分に送られ、活性化の連鎖反応が起きる。これにより、脳全体の神経細胞活動を効果的に促進させることによって、大脳はその頭脳力を拡大して行く。
【０００８】
しかし、現在携帯電話は、実時間で受信された音声及び映像を格納し、再生を希望する音声及び映像の再生位置をユーザが設定したり、再生倍速を調節する機能を提供しないので、携帯電話を利用した学習には限界がある。
【発明の開示】
【発明が解決しようとする課題】
【０００９】
本発明は、前述したような従来の問題点を解決するためになされたもので、その目的は、ユーザが手慣れて入力の容易な母国語が入力されれば、入力された母国語を外国語及び特殊文字に変換する携帯電話並びにその単語変換及び音声出力方法を提供することにある。
【００１０】
本発明の他の目的は、入力された母国語を携帯電話で入力が難しい外国語に変換し、変換された外国語の音声データを提供し、音声データの出力速度を調節することができる携帯電話並びにその単語変換及び音声出力方法を提供することにある。
【００１１】
本発明のさらに他の目的は、受信するかまたは格納された複合映像をユーザが選択した再生位置で選択した再生倍速で複合映像の音声及び映像を再生する携帯電話及びその複合映像処理方法を提供することにある。
【課題を解決するための手段】
【００１２】
上記目的を達成するために、本発明は、第１単語を入力される入力段階と、前記入力された第１単語に対応する少なくとも１つの変換類型を画面に提供する提供段階と、前記提供された変換類型から選択された変換類型で前記第１単語を第２単語に変換する変換段階と、前記変換された第２単語を前記画面に表示する表示段階と、前記表示された第２単語に対する音声出力要請が入力されれば、前記第２単語に該当する音声データを出力する出力段階とを含む携帯電話の単語変換及び音声出力方法を提供する。
【００１３】
また、本発明は、単語変換及び音声出力機能を有する携帯電話を提供する。本発明による携帯電話は、入力部、単語変換部、映像出力部及び音声変換部を含んで構成される。前記入力部は、第１単語を入力される。前記単語変換部は、前記入力された第１単語に対応する少なくとも１つの変換類型を提供し、前記提供された変換類型から選択された変換類型で前記第１単語を第２単語に変換する。前記映像出力部は、前記入力された第１単語、前記提供された変換類型及び前記変換された第２単語を画面に表示する。また、前記音声変換部は、前記入力部を介して前記第２単語に対する音声出力要請が入力されれば、前記第２単語に該当する音声データに変換して出力する。
【００１４】
また、本発明は、音声信号及び映像信号を含む複合映像信号を受信し格納する格納段階と、前記格納された複合映像信号の再生位置と１倍速を超過する再生倍速とを入力する入力段階と、前記入力された再生位置で前記入力された再生倍速で前記格納された複合映像の音声及び映像を再生する再生段階とを含む携帯電話の音声及び映像処理方法を提供する。
【００１５】
また、本発明は、音声及び映像処理機能を有する携帯電話を提供する。本発明による携帯電話は、受信部、格納部、入力部及び制御部を含んで構成される。前記受信部は、音声信号及び映像信号を含む複合映像信号を受信する。格納部は、前記受信された複合映像信号を格納する。前記入力部は、前記格納された複合映像信号の再生位置と１倍速を超過する再生倍速とを入力される。また、前記制御部は、前記入力された再生位置で前記入力された再生倍速で前記格納された複合映像の音声及び映像を再生する。
【発明の効果】
【００１６】
本発明の第１実施形態によれば、外国語、よく使用する同一の単語及びイモティコンを入力する時に、キーを毎度繰り返して押さなくても、入力された第１単語を所望の第２単語に変換することができるので、キー入力による煩わしさが減少し、タイピングの回数を低減することができる。
【００１７】
多数の変換テーブルには、第１単語に対する第２単語が多数の外国語に指定されているので、第１単語に対する外国語をいちいち該当外国語モードに切り替えることなく、一般的に手慣れて使用する母国語を入力し、該当外国語に変換するので、使用が便利である。
【００１８】
変換された外国語の音声データを聴取することができ、音声データの出力速度を調節することができるので、外国人と話し合ったり、外国語を学習する時に有用に使用することができる。特に変換された外国語の出力速度を調節することができるので、外国語の聞き取り学習時に有用に使用することができる。
【００１９】
また、画面を分割し、入力された第１単語と変換された少なくとも１つの第２単語とをそれぞれ分離された画面に表示することによって、ユーザに便利なインターフェースを提供することができる。
【００２０】
本発明の第２実施形態によれば、受信するかまたは格納された複合映像信号をユーザが希望する再生命令に基づいて再生することによって、音声及び映像を所望の速度で視聴することができる。複合映像信号を実時間で受信する場合、複合映像信号を受信しつつ格納し、格納と同時に格納された複合映像信号をユーザが希望する再生位置及び再生倍速で再生することができる。
【００２１】
したがって、語学学習、資格証取得及び就業などのための講義を聞く時、音声及び映像を早く再生し、所望の位置に自由に移動して再生することによって、速聴時と同様の効果を得ることができ、受講時間を節約し、繰り返しを通じて理解度を向上させることができる。
【００２２】
また、音声及び映像信号を早い速度で聴取及び視聴することによって、全体的な内容を早く把握し、集中力を強化し、成就度を向上させることができる。また、携帯電話を利用して再生するので、移動中にも便利に利用することができる。
【発明を実施するための最良の形態】
【００２３】
以下、添付の図面を参照して本発明の実施形態を詳細に説明する。但し、実施形態を説明するにあたって、本発明の属する技術分野によく知られており且つ本発明と直接的に関連がない記述内容についてはなるべく説明を省略する。これは、不要な説明を省略することで、本発明の核心を不明瞭にせず、さらに明確に伝達するためである。
【００２４】
本発明の実施形態において使用される変換類型は、ユーザから入力された単語の外国語変換及びイモティコンなどを含む特殊文字変換を意味する。
【００２５】
第１実施形態
携帯電話
本発明の第１実施形態に係る携帯電話１００は、図１及び図２に示されたように、ＲＦ通信部１０、入力部２０、出力部３０、変換モジュール４０、格納部５０及び制御部６０を含んで構成される。この時、変換モジュール４０は、単語変換部４１及び音声変換部４２を含む。出力部３０は、映像出力部３１及び音声出力部３２を含む。格納部５０は、テキストＤＢ ５１及び音声ＤＢ ５２を含む。また、制御部６０は、速度調節部６１及び画面分割部６２を含む。
【００２６】
ＲＦ通信部１０は、携帯電話１００と移動通信網との通常の無線通信を行う。例えば、ＲＦ通信部１０は、移動通信網を介して音声通話及び文字メッセージ送受信などを行う。
【００２７】
入力部２０は、携帯電話１００の動作を制御するためにユーザから入力されたキーに対応する信号を制御部６０に提供する。入力部２０は、通常のキーパッドで構成されることができる。入力部２０は、タッチスクリーン、タッチパッドまたはスクロールホイールなどで構成されることができる。この時、入力部２０は、文字数字キー１１１、変換キー１１２、選択キー１１３及び聴取キー１１４を含む。変換キー１１２、選択キー１１３及び聴取キー１１４は、携帯電話１００に別に追加されたものであるか、または既存の機能キーまたは文字数字キー１１１に該当機能をマッピングしたキーであることができる。選択キー１１３及び聴取キー１１４は、ソフトキーを利用して映像出力部３１に表示される′変換′、′聴取′を選択することができるキーであることができる。
【００２８】
文字数字キー１１１は、携帯電話１００の一般的なキーである。ユーザは、文字数字キー１１１を利用して第２単語に変換しようとする第１単語を入力することができる。
【００２９】
変換キー１１２は、単語変換機能のために追加されるキーである。ユーザが変換キー１１２を押せば、入力された第１単語に対する多数の変換類型が制御部６０の制御によって映像出力部３１に表示される。また、ユーザが携帯電話１００の文字メッセージ、メモ帳またはテキストファイルに含まれた単語にカーソルーを置いて変換キー１１２を押せば、制御部６０は、既入力された単語を第１単語として認識する。
【００３０】
選択キー１１３は、ユーザが映像出力部３１に提供される多数の変換類型のうち第１単語を変換しようとする第２単語の変換類型を選択することができるキーである。選択キー１１３は、テキストＤＢ ５１に格納された変換テーブルから選択された変換類型に該当する変換テーブルで第１単語にマッピングされる第２単語が多数である場合に、１つの第２単語を選択するためのキーである。
【００３１】
また、聴取キー１１４は、映像出力部３１に表示された第２単語を音声データとして聴取するために音声出力を要請する信号を制御部６０に提供するキーである。
【００３２】
出力部３０は、映像出力部３１及び音声出力部３２を含み、制御部６０の制御によって入力された第１単語、変換された第２単語及び変換された音声データの出力機能をユーザに提供する。
【００３３】
映像出力部３１としては、ＬＣＤ（Liquid Crystal Display）、ＯＬＥＤ（Organic Light Emitting Diodes）などが使用されることができる。映像出力部３１は、入力部２０で入力される第１単語を表示し、入力された第１単語に対する多数の変換類型を表示する。映像出力部３１は、単語変換部４１がテキストＤＢ ５１に格納された変換テーブルから抽出した第１単語にマッピングされた第２単語を表示する。
【００３４】
音声出力部３２は、第２単語に対する音声データの出力を行うスピーカーＳＰＫを含む。音声出力部３２は、制御部６０の制御によって映像出力部３１に表示された第２単語の音声データを出力する。
【００３５】
変換モジュール４０は、単語変換部４１及び音声変換部４２を含み、入力部２０から入力された第１単語を第２単語に変換し、第２単語を音声データに変換する。
【００３６】
単語変換部４１は、制御部６０の制御によって入力部２０から入力された第１単語にマッピングされた第２単語をテキストＤＢ ５１から抽出し、制御部６０に提供する。ここで、テキストＤＢ ５１が第１単語に対する多数の変換類型を有する場合に、単語変換部４１は、入力部２０で入力された１つの変換類型を選択する。さらに、選択された変換類型に該当する変換テーブルで第１単語にマッピングされた第２単語が多数である場合に、単語変換部４１は、入力部２０で入力された１つの第１単語にマッピングされた多数の第２単語を抽出し、画面に表示する。多数の第２単語のうち１つが選択されれば、単語変換部４１は、第１単語を選択された第２単語に変換し、画面に表示する。
【００３７】
音声変換部４２は、制御部６０の制御によって単語変換部４１で変換された第２単語にマッピングされた音声データを音声ＤＢ ５２から抽出し、制御部６０に提供する。
【００３８】
格納部５０は、携帯電話１０の動作制御時に必要なプログラムと、当該プログラム実行時に発生するデータを格納し、１つ以上の揮発性メモリ素子と非揮発性メモリ素子とからなる。格納部５０は、制御部６０の制御によって入力部２０で入力された第１単語を変換するために第１単語に対する多数の変換類型に対応する多数の変換テーブル及び第２単語にマッピングされた音声データを格納するテキストＤＢ ５１及び音声ＤＢ ５２を含む。また、格納部５０には、文字メッセージ、メモ帳、テキストファイルなどを格納する。
【００３９】
テキストＤＢ ５１は、文字数字キー１１１から入力される第１単語に対する多数の変換類型に対応する多数の変換テーブルを格納する。例えば、変換テーブルは、図２（ａ）乃至図２（ｄ）に示されたように具現されることができる。図２（ａ）は、特殊文字変換テーブルであり、第１単語である′菱形′、′ハート′にマッピングされ、第２単語として′白抜きの菱形の図形′及び′黒塗りの菱形の図形′、′白抜きのハートの図形? ′及び′黒塗りのハードの図形 ′が格納された状態を示す。
【００４０】
図２（ｂ）は、英語変換テーブルであり、第１単語として′ハングル文字によるありがとう′とそれにマッピングされる多数の第２単語として′Ｔｈａｎｋｓ′、′Ｔｈａｎｋ  ｙｏｕ′及び′Ｔｈａｎｋ  ｙｏｕ  ｖｅｒｙ  ｍｕｃｈ′が格納されており、第１単語として′ハングル文字によるはじめまして′とそれにマッピングされる多数の第２単語として′Ｉｔ'ｓ  ｎｉｃｅ  ｔｏ  ｍｅｅｔ  ｙｏｕ′、′Ｉ  ａｍ  ｐｒｏｕｄ  ｔｏ  ｍｅｅｔ  ｙｏｕ′及び′Ｐｌｅａｓｅｄ  ｔｏ  ｍｅｅｔ  ｙｏｕ′が格納された状態を示す。
【００４１】
図２（ｃ）は、日本語変換テーブルであり、第１単語である′ハングル文字によるありがとう′にマッピングされる第２単語として′ありがとうございます′が格納されており、第１単語として′??? ?????′にマッピングされる第２単語として′はじめまして’が格納された状態を示す。
【００４２】
図２（ｄ）は、英語及び日本語に対する変換テーブルであり、第１単語である′ハングル文字によるありがとう′とそれにマッピングされる多数の第２単語として′Ｔｈａｎｋｓ′、′Ｔｈａｎｋ  ｙｏｕ′及び′Ｔｈａｎｋ  ｙｏｕ  ｖｅｒｙ  ｍｕｃｈ′が格納されており、第３単語として′ありがとうございます′がマッピングされて格納された状態を示す。
【００４３】
一方、図示してはいないが、変換テーブルは、英語、日本語以外に各種外国語変換テーブル及び各種イモティコンなどの特殊文字変換テーブルを含むことができることは勿論である。
【００４４】
音声ＤＢ ５２は、テキストＤＢ ５１に格納された変換テーブルの第２単語に対する音声データ変換テーブルを含む。
【００４５】
制御部６０は、携帯電話１００の全般的な制御動作を行うマイクロプロセッサーである。制御部６０は、第２単語に該当する音声データの出力速度を制御する速度調節部６１と、映像出力部３１の画面分割を制御する画面分割部６２とを含む。
【００４６】
速度調節部６１は、入力部１０を介して入力された音声データの出力速度を格納部５０に格納する。速度調節部６１は、入力部１０を介して入力されるか、または格納された出力速度で音声変換部４２から提供された第２単語に該当する音声データを出力するように音声出力部３２を制御する。
【００４７】
画面分割部６２は、入力部１０を介して入力された画面の分割個数を格納部５０に格納する。画面分割部５０は、格納された分割個数で画面を分割し、第１単語と第２単語とを分離して表示するように制御する。
【００４８】
単語変換及び音声出力方法
第１実施形態に係る携帯電話の単語変換及び音声出力方法は、図１乃至図４に示されたように、設定過程と単語変換及び出力過程を含んで構成される。ここで、図３は、設定過程による流れ図を示す。また、図４は、単語変換及び出力過程による流れ図を示す。
【００４９】
まず、図１及び図３を参照して設定過程を説明する。
【００５０】
Ｓ３０１段階で、制御部６０は、入力部２０から提供される信号に基づいて単語変換及び音声出力時に必要なオプションを設定するための設定モードに進入する。Ｓ３０２段階で、制御部６０は、映像出力部３１の画面分割設定可否を感知する。
【００５１】
Ｓ３０２段階で、制御部６０が入力部２０から画面分割を選択する信号を受信すれば、制御部６０は、Ｓ３０３段階に進行する。反対に、Ｓ３０２段階で、制御部６０が入力部２０から画面分割を選択しない信号を受信すれば、制御部６０は、Ｓ３０５段階に進行する。
【００５２】
Ｓ３０３段階で、制御部６０は、入力部２０から画面の分割個数を入力される。次に、Ｓ３０４段階で、画面分割部６２は、入力された画面分割個数を格納部５０に格納する。
【００５３】
次に、Ｓ３０５段階で、制御部６０は、入力部２０から音声データの出力速度を設定するための信号の受信可否を判断する。この時、Ｓ３０５段階で、出力速度を設定するための信号が受信されれば、速度調節部６１は、Ｓ３０６段階に進行する。Ｓ３０５段階で、出力速度を設定しない信号が受信されれば、制御部６０は、Ｓ３０８段階に進行する。
【００５４】
Ｓ３０６段階で、速度調節部６１は、入力部２０から第２言語に対する音声データの出力速度を入力されれば、Ｓ３０７段階で、入力された音声データの出力速度を格納部５０に格納する。例えば、Ｓ３０７段階で、出力速度が２倍に設定されると、速度調節部６１は、音声データが既設定された標準速度より２倍速い速度で出力されるように音声出力部３２を制御する。しかし、Ｓ３０５段階で、出力速度が設定されなければ、音声データ出力時に速度調節部６１は、既設定された標準速度で音声データを出力するように音声出力部３２を制御する。
【００５５】
また、Ｓ３０８段階で、制御部６０は、入力部２０から設定モードの終了のための終了信号を受信すれば、設定モードを終了し、終了信号を受信しなければ、制御部６０はＳ３０２段階に戻り、上記の設定過程を再実行することができる。
【００５６】
以下、図１乃至図４を参照して単語変換及び音声出力過程を説明する。
【００５７】
Ｓ４０１段階で、制御部６０は、入力部２０から第１単語が入力されることを感知すれば、Ｓ４０２段階で、制御部６０は、第１単語を第２単語に変換するための変換キー１１２が入力されたか否かを判断する。Ｓ４０２段階の判断結果、入力部２０から変換キー１１２が入力されれば、制御部６０は、Ｓ４０３段階に進行し、変換キーが入力されなければ、制御部６０はＳ４０２段階に戻り、変換キー１１２の入力を待機する。
【００５８】
Ｓ４０３段階で、制御部６０は、第１単語を第２単語に変換するための多数の変換類型を映像出力部３１の画面に表示する。すなわち、第１単語を変換することができる外国語が英語及び日本語である場合、英語及び日本語のいずれか１つを選択するように変換類型が映像出力部３１に表示される。
【００５９】
次に、Ｓ４０４段階で、制御部６０が映像出力部３１に表示された変換類型のうちいずれか１つの変換類型に対する選択信号を入力部２０から受信すれば、Ｓ４０５段階で、単語変換部４１は、第１単語にマッピングされた第２単語を抽出し、制御部６０に提供する。すなわち、Ｓ４０５段階で、単語変換部４１は、格納部５０のテキストＤＢ ５１に格納された変換テーブルのうちＳ４０４段階で選択された変換類型に該当する変換テーブルを選択する。その後、単語変換部４１は、選択された変換テーブルを構成する第２単語のうち４０１段階で入力された第１単語にマッピングされた第２単語を抽出する。より詳細には、Ｓ４０４段階で選択された変換類型が英語である場合、単語変換部４１は、変換テーブルを構成する第２単語が英語である変換テーブルで第１単語にマッピングされた第２単語を抽出する。反対に、選択された変換類型が日本語である場合、単語変換部４１は、変換テーブルを構成する第２単語が日本語である変換テーブルで第１単語にマッピングされた第２単語を抽出する。
【００６０】
次に、Ｓ４０６段階で、制御部６０は、Ｓ４０５段階で抽出された第２単語が多数であるか否かを判断し、多数ならＳ４０７段階に進行し、抽出された第２単語が１つならＳ４０９段階に進行する。
【００６１】
Ｓ４０７段階で、制御部６０は、抽出された多数の第２単語を映像出力部３１に表示し、Ｓ４０８段階で、制御部６０は、選択キー１１３から多数の第２単語のうち１つの第２単語に対する選択信号を受信する。
【００６２】
次に、Ｓ４０９段階で、制御部６０は、画面分割の既設定可否を判断する。この時、画面分割の既設定可否は、図３のＳ３０４段階で設定されたものと判断することができる。画面分割が設定された状態なら、制御部６０はＳ４１０段階に進行し、画面分割が設定された状態ではなければ、制御部６０はＳ４１１段階に進行する。Ｓ４１１段階で、制御部６０はＳ４０８段階で選択された第２単語を映像出力部３１に表示する。一方、Ｓ４０６段階で、抽出された第２単語が１つである場合、Ｓ４１１段階で、制御部６０は、Ｓ４０７段階及びＳ４０８段階を省略し、第２単語を映像出力部３１に表示する。
【００６３】
Ｓ４０９段階での判断結果、画面分割が設定された状態なら、Ｓ４１０段階で、画面分割部６２は、Ｓ３０４段階で格納部５０に格納された画面の分割個数に基づいて画面を分割し、Ｓ４１１段階に進行する。Ｓ４１１段階で、制御部６０は、Ｓ４０１段階で入力された第１単語とＳ４０８段階で選択された第２単語とをそれぞれ分割された画面に表示する。
【００６４】
Ｓ４０９段階での判断結果、画面分割が設定された状態でなければ、Ｓ４１１段階で、制御部６０は、１つの画面に第２単語だけ表示するか、または第１単語及び第２単語を一緒に表示することができる。
【００６５】
次に、Ｓ４１２段階で、制御部６０は、入力部２０から第２単語に対する聴取キー１１４が入力されるか否かを判断し、聴取キー１１４が入力されれば、音声変換部４２は、Ｓ４１３段階に進行し、第２単語にマッピングされた音声データを音声ＤＢ ５２から抽出し、制御部６０に提供する。
【００６６】
その後、Ｓ４１４段階で、制御部６０は、抽出された音声データに対する出力速度が既設定された状態であるか否かを判断する。この時、出力速度の既設定可否を図３のＳ３０７段階で格納可否から判断することができる。出力速度が設定された状態なら、制御部６０は、Ｓ４１５段階に進行する。Ｓ４１５段階で、速度調節部６１は、音声データの出力速度をＳ３０７段階で格納された速度に調節する。次に、Ｓ４１６段階で、速度調節部６１は出力速度が調節された音声データを音声出力部３２に出力する。
【００６７】
反対に、Ｓ４１４段階の判断結果、音声データの出力速度が設定された状態でなければ、Ｓ４１６段階で、速度調節部６１は、出力速度が調節されていない（またはデフォルトに設定された）第２単語に該当する音声データを音声出力部３２に出力する。
【００６８】
なお、図示してはいないが、出力速度が設定された状態でないとしても、音声データを出力する前または後に、制御部６０が入力部２０から出力速度を調節するための信号を受信すれば、速度調節部６１は、音声データの出力速度を調節し、音声出力部３２に提供する。
【００６９】
以下、このような第１実施形態に係る単語変換及び音声出力方法について図５乃至図８の第１乃至第４画面例示図を参照して具体的に説明する。
【００７０】
第１画面例示図について図５を参照して説明する。
【００７１】
まず、図５（ａ）に示されたように、ユーザが文字数字キーを用いて′?????′のように第１単語を入力すれば、映像出力部３１に′?????′が表示される。次に、変換キー１１２を押せば、図５（ｂ）に示されたように、入力された′?????′に対応する多数の変換類型１１６が表示される。多数の変換類型１１６は、“１．英語変換”及び“２．日本語変換”を含む。この時、変換類型１１６は、画面の一端部にポップアップ窓の形態で表示されることができる。
【００７２】
この時、変換類型１１６は、入力された第１単語にマッピングされる第２単語で構成された変換テーブルに該当する変換類型だけを表示することができる。または、多数の変換類型をすべて表示し、入力された第１単語にマッピングされる第２単語が存在する変換類型だけを活性化させて選択可能に表示することができる。例えば、第１単語である′ハングル文字によるありがとう′にマッピングされた特殊文字がなければ、前者の場合、変換類型１１６には、 “特殊文字変換”が表示されない。しかし、後者の場合、変換類型１１６として“特殊文字変換”をも表示するが、“特殊文字変換”は非活性状態で表示する。
【００７３】
ここで、′ハングル文字によるありがとう ′に対する日本語変換のために選択キーを利用して′２．日本語変換′を選択すれば、図５（ｃ）に示されたように、′ハングル文字によるありがとう ′にマッピングされた第２単語である′ありがとうございます′が映像出力部３１に表示される。
【００７４】
または、画面分割が設定されている場合、′２．日本語変換′を選択すれば、図５（ｄ）に示されたように、分割された画面にそれぞれ′ハングル文字によるありがとう′と、′ハングル文字によるありがとう′が変換された′ありがとうございます′が表示される。この時、映像出力部３１の画面分割状態は、図５（ｄ）のように、横状態になることができ、反対に縦状態になることもできる。一方、図５（ｄ）において、画面が２つに分割された例を示したが、２つ以上に分割されることができることは勿論である。
【００７５】
一方、′ハングル文字によるありがとう ′に対する第２単語を確認した後、連続して′ハングル文字によるはじめまして′に対する第２単語を確認したい場合には、′ありがとうございます′が表示された状態で′ハングル文字によるはじめまして ′を入力した後、変換キー１１２を入力すれば、′はじめまして′が′ありがとうございます′と連結されて表示されることができる。
【００７６】
この時、′ありがとうございます′だけが表示される理由は、図２のように、テキストＤＢ ５１に格納された変換テーブルで′ハングル文字によるありがとう ′にマッピングされた第２単語が′ありがとうございます′だけが存在するからである。選択キーを入力する方法は、選択キーにマッピングされた文字数字キーの特定キーを押すか、または該当変換類型がハイライトされた状態で確認キー４１１を押して入力することができる。
【００７７】
次に、第１単語である′ハングル文字によるありがとう′の第２単語である′ありがとうございます′を音声で聴取しようとする場合、聴取キー１１４を押せば、音声出力部３２を介して変換された第２単語の音声データが出力される。
【００７８】
以下、第２画面例示図について図６を参照して説明する。
【００７９】
図６（ａ）に示されたように、ユーザが文字数字キーを介して′ハングル文字によるはじめまして′のような第１単語を入力すれば、映像出力部３１に′ハングル文字によるはじめまして ′が表示される。次に、変換キー１１２を押せば、図６（ｂ）のように、′ハングル文字によるはじめまして ′に対応する多数の変換類型１１６が表示される。この時、変換類型１１６は、入力された第１単語にマッピングされる第２単語で構成された変換テーブルに該当する変換類型だけが表示された例を示した。
【００８０】
ここで、′ハングル文字によるはじめまして ′に対する英語変換のために選択キーを利用して′１．英語変換′を選択すれば、図６（ｃ）に示されたように、′ハングル文字によるはじめまして ′にマッピングされた多数の第２単語１１８、すなわち′Ｉｔ'ｓ  ｎｉｃｅ  ｔｏ  ｍｅｅｔ  ｙｏｕ′、′Ｉ  ａｍ  ｐｒｏｕｄ  ｔｏ  ｍｅｅｔ  ｙｏｕ′及び′Ｐｌｅａｓｅｄ  ｔｏ  ｍｅｅｔ  ｙｏｕ′が映像出力部３１に表示される。この時、多数の第２単語１１８が表示される理由は、図２のように、テキストＤＢ ５１に格納された変換テーブルで′ハングル文字によるはじめまして ′にマッピングされた第２単語が多数存在するからである。図６（ｂ）の変換類型１１６が表示された領域に、変換類型の代りに、図６（ｃ）に示されたように多数の第２単語１１８が表示される。
【００８１】
図６（ｃ）において、選択キーを利用して′２．Ｉ  ａｍ  ｐｒｏｕｄ  ｔｏ  ｍｅｅｔ  ｙｏｕ′を選択すれば、図６（ｄ）に示されたように、映像出力部３１には、第１単語である′ハングル文字によるはじめまして ′が変換された第２単語である′Ｉ  ａｍ  ｐｒｏｕｄ  ｔｏ  ｍｅｅｔ  ｙｏｕ′が表示される。また、図６（ｄ）においても、図５（ｄ）と同様に、映像出力部３１を分割し、第１単語及び第２単語がそれぞれの画面に同時に表示されることができる。図６（ｃ）の多数の第２単語１１８は画面で除去される。
【００８２】
次に、第１単語′ハングル文字によるはじめまして ′に対応する多数の第２単語のうち選択した′Ｉａｍ  ｐｒｏｕｄ  ｔｏ  ｍｅｅｔ  ｙｏｕ′を音声データで聴取しようとする場合、図６（ｄ）において聴取キー１１４を押せば、音声出力部３２を介して変換された第２単語の音声データが出力される。
【００８３】
以下、第３画面例示図について図７を参照して説明する。
【００８４】
図７（ａ）に示されたように、ユーザが文字数字キーを介して′ハングル文字によるありがとう′を入力すれば、映像出力部３１に′ハングル文字によるありがとう ′が表示される。次に、変換キー１１２を押せば、図７（ｂ）のように、′ありがとうございます′に対応する多数の変換類型１１６が表示される。変換類型１１６は、入力された第１単語にマッピングされる第２単語で構成された変換テーブルに該当する変換類型が表示された例を示した。
【００８５】
ここで、′ハングル文字によるありがとう ′に対する英語変換のために選択キーを利用して′１．英語変換′を選択すれば、図７ｃに示されたように′ハングル文字によるありがとう ′にマッピングされた多数の第２単語１１８、すなわち′Ｔｈａｎｋｓ′、′Ｔｈａｎｋ  ｙｏｕ′及び′Ｔｈａｎｋ  ｙｏｕ  ｖｅｒｙ  ｍｕｃｈ′が映像出力部３１に表示される。次に、選択キーを利用して′２．Ｔｈａｎｋ  ｙｏｕ′を選択すれば、図７（ｄ）に示されたように、映像出力部３１には′ハングル文字によるありがとう ′が′Ｔｈａｎｋ  ｙｏｕ′に変換されて表示される。
【００８６】
一方、′ハングル文字によるありがとう ′を′Ｔｈａｎｋ  ｙｏｕ′に英語変換した後、さらに他の変換を希望する場合、変換キー１１２を押せば、図７（ｅ）に示されたように、画面に変換類型１１６が表示される。この場合、英語変換テーブルに′Ｔｈａｎｋ  ｙｏｕ′を第２単語として有する第１単語が存在するので、′Ｔｈａｎｋ  ｙｏｕ′に対するハングル変換が可能なので、変換類型１１６は“１．ハングル変換”を含んで表示する。
【００８７】
′２．日本語変換′を選択すれば、図７（ｆ）に示されたように、単語変換部４１は、英語変換で変換された′Ｔｈａｎｋ  ｙｏｕ′を第１単語として認識せず、′Ｔｈａｎｋ  ｙｏｕ′の第１単語である′ハングル文字によるありがとう ′を第１単語として認識する。また、変換テーブルが図２ｄのように生成され、テキストＤＢ ５１に格納された場合には、第２単語である′Ｔｈａｎｋ  ｙｏｕ′にマッピングされた第３単語を抽出する。したがって、′Ｔｈａｎｋ  ｙｏｕ′にマッピングされた第３単語である′ありがとうございます′を日本語変換テーブルから抽出し、映像出力部３１に表示する。
【００８８】
さらに他の言語への変換を希望する場合、変換キー１１２を押せば、図７（ｇ）に示されたように、′１．英語変換′及び′２．ハングル変換′を含む変換類型１１６が画面に表示される。′２．ハングル変換′を選択すれば、図７（ｈ）に示されたように、′ありがとうございます′に該当する第１単語である′ハングル文字によるありがとう ′が映像出力部３１に表示される。
【００８９】
一方、このような多数の変換類型１１６に該当する各変換テーブルは、製作当時からテキストＤＢ ５１に格納されているか、またはインターネット、ネットワークなどを介してダウンロードされることもでき、また、ユーザが内容を追加、修正、削除することもできる。それで、テキストＤＢ ５１に格納された変換テーブル内で各類型別に相互変換が可能である。例えば、テキストＤＢ ５１に英語変換、漢字変換、日本語変換及び中国語変換テーブルが格納されている場合、入力された第１単語に対して英語変換した後、さらに漢字変換をしたり、漢字変換後にさらにハングル変換または日本語変換を行うことがができる。図７においても、図５のように画面を分割し、第１単語及び第２単語がそれぞれの分割された画面に同時に表示されることができる。もし、映像出力部３１が３つの画面に分割される場合には、第１単語、第２単語及び第３単語がそれぞれの画面に同時に表示されることができる。
【００９０】
また、図７（ｄ）に示されたように、′Ｔｈａｎｋ  ｙｏｕ′が映像出力部３１に表示された状態で聴取キー１１４を押せば、′Ｔｈａｎｋ  ｙｏｕ′の音声データが音声出力部３２を介して出力される。勿論、′ありがとうございます′を音声で聴取しようとする場合、図７（ｆ）の状態で聴取キー１１４を押せば、音声出力部３２を介して変換された第２単語の音声データが出力される。
【００９１】
以下、第４画面例示図について図８を参照して説明する。
【００９２】
図８（ａ）に示されたように、ユーザが文字数字キーを介して′菱形′を入力すれば、映像出力部３１に′菱形′が表示される。次に、変換キー１１２を押せば、図８（ｂ）に示されたように、′菱形′に対応する変換類型１１６が表示される。変換類型１１６は、多数の変換類型をすべて表示した後、′３．特殊文字変換′だけを活性化させて選択可能に表示した例を示した。一方、第１単語である′菱形′に対応する第２単語が特殊文字変換テーブルにのみ格納されている場合、変換類型１１６は、特殊文字変換だけを表示することができる。
【００９３】
ここで、′菱形′に対する特殊文字変換のために選択キーを利用して′３．特殊文字変換′を選択すれば、図８（ｃ）に示されたように、′菱形′にマッピングされた第２単語１１８である′白抜きの菱形の図形′及び′黒塗りの菱形の図形′が映像出力部３１に表示される。選択キーを利用して′２．黒塗りの菱形の図形′を選択すれば、図８（ｄ）に示されたように、映像出力部３１には′菱形′が′黒塗りの菱形の図形′に変換されて表示される。図８においても、図５と同様に、画面を分割し、第１単語及び第２単語がそれぞれの画面に同時に表示されることができる。
【００９４】
ここで、選択キーを入力する方法は、キーパッドの文字数字キーの該当番号を押すか、または該当変換類型がハイライトされた状態で確認キー４１１を押して入力することができる。第１単語である′菱形′の第２単語である′黒塗りの菱形の図形′は、音声データが存在しないので、第２単語が抽出されて映像出力部３１に表示されれば、変換過程が終了する。
【００９５】
図示してはいないが、第１単語に該当するイモティコンが表示された場合、ユーザは、入力部２０を介して表示されたイモティコンを即席で修正することができる。この時、制御部６０は、修正されたイモティコンに対して入力部２０から格納信号が入力されれば、修正されたイモティコンをテキストＤＢ ５１に格納することによって、第１単語に該当するイモティコンを更新することができる。
【００９６】
第２実施形態
携帯電話
本発明の第２実施形態に係る携帯電話３００は、図９に示されたように、複合映像処理機能を有する携帯端末機であって、受信部１１０、入力部１２０、分離部１３０、圧縮／解除部１４０、格納部１５０、変換部１６０、処理部１７０、出力部１８０、制御部１９０及びＲＦ通信部２００を含んで構成される。
【００９７】
ここで、携帯電話３００は、一般的な携帯電話だけでなく、ＰＤＡ（Personal Digital Assistants）、スマトホンのように移動性と通信機能を兼備したすべての携帯端末機を網羅する概念として使用される。
【００９８】
受信部１１０は、マイク１１５、カメラ１１６、放送受信部１１７及び通信部１１８のうち少なくとも１つを具備し、ユーザの視聴及び聴取のために必要な音声信号及び複合映像信号を受信する。
【００９９】
音声信号は、アナログ信号またはデジタル信号であって、マイク１１５を介して受信された信号、放送受信部１１７を介して受信されたラジオ放送信号、通信部１１８を介して無線インターネットまたはネットワークでダウンロードされた音声信号を含む。
【０１００】
複合映像信号は、アナログ信号またはデジタル信号からなる音声信号及び映像信号を含むもので、カメラ１１６で撮影した動画像、放送受信部１１７を介して受信されたＤＭＢ（Digital Multimedia Broadcasting）のようなデジタル放送、通信部１１８を介して無線インターネットまたはネットワークでダウンロードされた動画像及び音声信号を含む。
【０１０１】
マイク１１５は、有無線マイクまたはヘッドセットマイクを含むことができ、音声信号を受信し増幅する。カメラ１１６は、レンズ及びイメージセンサーを具備したモジュールであって、秒当たり数乃至数十フレームの動画像を撮影する。放送受信部１１７は、ＤＭＢ放送及びラジオ放送を受信する。放送データを受信するために、チューナーを含むことができ、多数の放送データから特定の放送データを選択するためのマルチプレクサー（Multiplexer）を含むことができる。放送データは、放送情報を含むデータと音声信号及び映像信号が共に含まれている。通信部１１８は、有無線通信インターフェースであって、インターネット網ネットワーク網に接続し、音声信号または複合映像信号を伝送されることができる。
【０１０２】
入力部１２０は、格納開始命令、格納終了命令、再生倍速及び再生位置を含む各種再生命令を入力され、電話をかけたり、文字メッセージを作成する各種機能キーと文字数字キーとから構成されている。入力部１２０は、キーパッド、タッチパッド及びポインティング装置を含むことができる。
【０１０３】
入力部１２０を介して格納開始命令が入力されれば、その地点から現在受信中の音声信号及び映像信号が格納部１５０に格納される。この時、ファイル名を入力して格納したり、ファイル名を入力せずに制御部１９０が指定する任意のファイル名で格納することができる。これにより、音声信号及び映像信号を受信し格納する中に受信が不可能な場合が生じても、既に格納された音声信号及び映像信号が損失されることなく保存されることができる。
【０１０４】
分離部１３０は、入力部１２０を介して格納開始命令が入力されれば、複合映像信号を映像信号と音声信号とにそれぞれ分離する。受信部１１０から音声信号だけが受信される場合、分離部１３０は、分離機能を行うことなく通過させる。
【０１０５】
圧縮／解除部１４０は、分離部１３０から分離されて出力される音声信号及び映像信号をそれぞれデジタル信号に変換して圧縮したり、または圧縮されたデジタル信号の圧縮を解除する。
【０１０６】
格納部１５０は、圧縮／解除部１４０から圧縮されたデジタル音声信号及びデジタル映像信号を格納する。格納部１５０は、多様な格納媒体を使用することができ、携帯電話３００に内蔵されるか、または外部でインタフェースを基盤として脱着が可能な形態で具現されることができる。
【０１０７】
格納部１５０は、入力部１２０を介して格納開始命令が入力されれば、制御部１９０の制御下に分離部１３０を介して分離され、圧縮／解除部１４０から圧縮されたデジタル音声信号及びデジタル映像信号を格納する。放送受信部１１７を介して実時間でＤＭＢ放送またはラジオ放送のようなデジタル放送を受信する時、入力部１２０を介して格納開始命令が入力されれば、その地点から現在受信中の地点までデジタル放送を格納することができる。
【０１０８】
また、受信された音声及び映像の聴取及び視聴中に格納を終了しようとする時に、格納終了命令を入力することができる。
【０１０９】
デジタル放送またはラジオ放送のように実時間で放送を受信する場合、格納部１５０に含まれた臨時格納部１５１は、受信中の映像を臨時に一定部分格納するので、格納開始命令及び格納終了命令を入力する時、方向キーを利用して受信中の地点よりさらに先に進んだ地点を選択することもできる。
【０１１０】
格納部１５０に既に格納されたデジタル音声信号及びデジタル映像信号を再生する時には、入力部１２０を介して再生位置及び再生倍速を選択し、所望の再生位置へ移動して再生するか、または所望の倍速で視聴することができる。
【０１１１】
圧縮／解除部１４０は、格納部１５０に格納されたデジタル音声信号及びデジタル映像信号の圧縮を解除し、変換部１６０は、圧縮／解除部１４０から圧縮解除されたデジタル音声信号及びデジタル映像信号を聴取及び視聴可能な音声信号及び映像信号にそれぞれ変換する。
【０１１２】
処理部１７０は、変換部１６０から変換された音声信号及び映像信号を入力部１２０から入力された再生時間及び再生倍速によって処理する。
【０１１３】
出力部１８０は、スピーカーを含む音声出力部１８１と、液晶画面を含む映像出力部１８２とから構成され、音声信号及び映像信号を再生する。
【０１１４】
制御部１９０は、携帯電話３００の各構成部を全般的に制御する。制御部１９０は、入力部１２０を介して入力された再生位置で入力された再生倍速で格納された複合映像が再生されるように制御する。
【０１１５】
一方、一般的な携帯電話３００の機能として、ＲＦ通信部２００は、移動通信網を介して基地局と接続し、音声通話及び文字メッセージ送受信の機能を有する。
【０１１６】
音声及び映像処理方法
以下、本発明の第２実施形態に係る携帯電話の音声及び映像処理方法を図９及び図１０を参照して説明する。
【０１１７】
Ｓ１０１段階で、受信部１１０を介して音声信号及び複合映像信号を受信する。Ｓ１０２段階で、制御部１９０は、入力部１２０を介して受信された音声信号及び複合映像信号の格納開始命令の入力可否を判断する。
【０１１８】
Ｓ１０２段階での判断結果、格納開始命令が入力されれば、Ｓ１０３段階で、分離部１３０は、受信された複合映像信号を音声信号と映像信号とにそれぞれ分離する。もし受信部１１０から音声信号だけが受信された場合、Ｓ１０３段階は省略される。
【０１１９】
Ｓ１０４段階で、圧縮／解除部１４０は、分離された音声信号及び映像信号をそれぞれデジタル信号に変換して圧縮する。Ｓ１０５段階で、制御部１９０は、圧縮されたデジタル音声信号及びデジタル映像信号を格納部１５０に格納する。
【０１２０】
Ｓ１０６段階での判断結果、入力部１２０から格納終了命令が入力されれば、Ｓ１０７段階で、格納部１５０は、格納を終了する。
【０１２１】
Ｓ１０６段階で、格納終了命令が入力されれば、受信中の音声信号及び複合映像信号は、分離部１３０、圧縮／解除部１４０を介して格納部１５０に格納されるので、いつでも方向キーを利用して格納された音声信号及び映像信号の再生位置を選択したり、携帯電話の機能キー及び文字数字キーを利用して再生倍速を選択することができる。また、メニューにさまざまな機能を付加して多様な再生方式で再生することもできる。
【０１２２】
方向キーで再生位置を移動するか、またはホームとエンドへ再生位置を移動する特定キー（ホームへ、エンドへ）を設け、そのキーを押せば、ホーム位置、エンド位置へ移動して再生される。特定キーを押してエンドへ移動すれば、現在受信中の音声信号及び複合映像信号を視聴することができる。
【０１２３】
Ｓ１０６段階で、格納終了命令が入力されなければ、Ｓ１０８段階で、制御部１９０は、入力部１２０を介して再生位置及び再生倍速が入力されるか否かをさらに判断する。すなわちＳ１０８段階で、方向キーを利用して再生位置が選択されるか、またはメニューを選択して再生倍速が選択されれば、Ｓ１０９段階で、圧縮／解除部１４０は、Ｓ１０５段階で格納されたデジタル音声信号及びデジタル映像信号を圧縮解除する。
【０１２４】
次に、Ｓ１１０段階で、変換部１６０は、圧縮解除されたデジタル音声信号及びデジタル映像信号を聴取及び視聴可能な音声及び映像信号にそれぞれ変換する。Ｓ１１１段階で、処理部１７０はＳ１０２段階で入力された再生倍速によって変換された音声及び映像信号を処理する。
【０１２５】
最後にＳ１１２段階で、制御部１９０は処理された音声及び映像信号を出力部１８０を介して出力する。この時、音声信号は、音声出力部１８１を介して出力され、映像信号は、映像出力部１８２を介して共に出力される。
【０１２６】
以下、このような本発明の第２実施形態に係る携帯電話の音声及び映像処理方法を図１１の画面例示図を参照して説明する。ここで、図１１は、携帯電話に受信中のＤＭＢ放送を格納すると同時に再生する過程を示す画面例示図である。
【０１２７】
図１１（ａ）に示されたように、携帯電話の放送受信部１１７から受信するＤＭＢ放送を映像出力部１８２を介して視聴する中に携帯電話のメニュ−キを押してメニュー３１０を選択すれば、図１１（ｂ）のように、“１．格納開始、２．格納終了及び３．再生倍速”の入力を案内する案内窓３２０が現れる。この時、“１．格納開始”命令を選択するためには、携帯電話の文字数字キーのうち１番ボタンを押すか、または“１．格納開始”がハイライトされた状態で確認キー３３０を押す。
【０１２８】
図１１ｂにおいて、“１．格納開始”が選択されれば、図１１（ｃ）のように、格納開始のためのメッセージ３２１が現れる。現在受信中の地点から格納するか、臨時格納部１５１に移動し、現在受信中のＤＭＢ放送よりさらに先に進んだ地点を選択して格納することができる。臨時格納部１５１に移動し格納を開始する場合には、オプションに設定された時間だけ移動して格納を開始することができる。
【０１２９】
図１１（ｃ）に示された検索符号≪≫は、格納を開始する位置を方向キーを利用して検索することができることを表示する。
【０１３０】
格納開始命令が入力されれば、ファイル名を入力し格納するか、またはファイル名を入力せずに制御部１９０が指定する任意のファイル名で格納することができる（不図示）。
【０１３１】
図１１（ｃ）において、確認キーを介して確認３３０が選択されれば、図１１（ｄ）のように、映像出力部１８２に格納が開始された地点から現在受信中の地点まで格納された区間を検索することができる検索符号≪≫が表示される。検索符号≪≫が表示されれば、携帯電話の方向キーを押して、格納が開始された地点から現在受信されている地点まで格納部１５０に格納されたＤＭＢ放送を所望の再生位置へ移動して再生することができる。
【０１３２】
方向キーで再生位置を移動するか、またはホームとエンドへ再生位置を移動する特定キー（ホームへ、エンドへ）を設け、そのキーを押せば、ホーム位置、エンド位置へ移動して再生される。特定キーを押してエンドへ移動すれば、現在受信中の音声信号及び複合映像信号を視聴することができる。
【０１３３】
また、メニュー３１０には、さまざまな機能が付加された多様な再生方式が含まれることができる（不図示）。
【０１３４】
また、図１１（ｄ）において、携帯電話のメニュ−キを押してメニュー３１０を選択し、′３．再生倍速′を選択すれば、図１１（ｅ）に示されたように、再生倍速入力のためのメッセージ３２２が現れ、所望の倍速を入力すれば、検索符号≪≫で選択した再生位置から入力された倍速で再生することができる。
【０１３５】
図１１（ｅ）において、格納を終了しようとする時には、携帯電話のメニュ−キを押してメニュー３１０を選択した後、′２．格納終了′を選択すれば、図１１（ｆ）のように、映像出力部１８２に格納終了のためのメッセージ３２３が現れる。
【０１３６】
この時、格納を終了する時には、確認キーで現在受信中の地点で終了するか、方向キーを介して臨時格納部１５１に移動し、現在受信中のＤＭＢ放送よりさらに先に進んだ部位で格納を終了することができる。臨時格納部１５１に移動して格納を終了する場合には、オプションに設定された時間だけ移動して格納を終了することができる。ここで、図１１（ｆ）に示された検索符号≪≫は、格納を終了する位置を方向キーを利用して検索することができることを表示する。
【０１３７】
ＤＭＢ放送、ラジオ放送、インターネットで聴取及び視聴する音声及び映像のように実時間で音声信号及び複合映像信号を受信する場合、データの格納開始命令と格納終了命令を入力するために格納部１５０の臨時格納部１５１に現在再生中の音声及び映像の一定部分のデータを格納し、格納開始命令または格納終了命令が入力されなければ、臨時格納部１５１に格納したデータは削除される。また、臨時格納部１５１で臨時に映像を格納する時、格納開始及び格納終了命令が入力されれば、オプションに設定された時間だけ移動し、格納を開始または終了することができる。
【０１３８】
また、図１１（ｆ）において、ファイル格納後にメニュー３１０を選択し、′３．再生倍速′を選択して入力すれば、図１１（ｇ）のように、再生倍速入力に対するメッセージ３２４が現れ、格納されたファイルに対する再生倍速を設定することができる。
【０１３９】
図１１（ｇ）において、再生倍速を入力すれば、図１０のＳ１０８〜Ｓ１１２段階のような過程を経て図１１（ｈ）に示されたように、所望の倍速で再生される。例えば、２倍速を入力した場合、映像出力部１８２に２倍速で再生中であることを示すメッセージ３２５が表示されることができる。
【０１４０】
それで、実時間でＤＭＢ放送を受信する場合に、入力部１２０を介して格納開始命令が入力されれば、格納命令が入力された地点と現在受信中の地点との間で所望の再生位置に自由に移動して再生するか、再生倍速を調節することができ、ＤＭＢ放送視聴後に格納終了命令を入力し、全体区間を格納することができる。
【０１４１】
本画面例示図では、実時間で受信するＤＭＢ放送を格納すると同時に再生する過程を開始したが、これに限定されるものではない。例えば、実時間で受信されるラジオ放送及びインターネットで聴取及び視聴する音声または映像、カメラで撮影する動画像を実時間で受信する場合にも適用することができる。
【０１４２】
また、携帯電話に既に格納されている映像信号の再生区間を設定し、所望の再生命令によって再生することができる。この場合、格納された複合映像を表示し、表示された複合映像のうち再生する複合映像を選択する段階をさらに含んで構成されることができる。格納された複合映像は、リストやサムネイル（thumbnail）形態で表示されることができる。
【０１４３】
携帯電話に既に格納されている映像信号は、実時間で放送受信部１１７を介して受信されるＤＭＢ放送信号を格納したファイルと、通信部１１８を介して伝送されて格納した複合映像信号を含む。
【０１４４】
映像出力部１８２を介して携帯電話３００に格納された映像信号を再生する時には、再生中でも方向キーを押して所望の再生位置を選択するか、再生倍速を入力して所望の倍速で再生することができる。この時、実時間で受信されるＤＭＢ放送信号の再生区間を設定して格納したファイルと、通信部１１８を介して伝送された音声信号及び複合映像信号だけでなく、マイクを介して受信された音声信号、実時間ラジオ放送のような音声信号を格納したファイル、インターネットで伝送された音声信号または映像信号を格納したファイル、及びカメラを用いて撮影して格納した映像にも適用することができる。
【０１４５】
以上では、本発明による特定の好ましい実施形態について図示し、説明した。しかし、本発明は、上述した実施形態に限定されるものではなく、特許請求の範囲で添付する本発明の要旨を逸脱することなく、本発明の属する技術分野における通常の知識を有する者なら誰でも多様な変形及び均等な他の実施が可能であろう。したがって、本発明の真正な技術的保護範囲は、添付する特許請求の範囲だけによって定められるべきである。
【図面の簡単な説明】
【０１４６】
【図１】本発明の第１実施形態に係る携帯電話の主要構成を示すブロック図である。
【図２】本発明の第１実施形態に係るテキストＤＢの構造を示す例示図である。
【図３】本発明の第１実施形態に係る単語変換及び音声出力のための設定過程を示す流れ図である。
【図４】本発明の第１実施形態に係る単語変換及び音声出力過程を示す流れ図である。
【図５】本発明の第１実施形態に係る単語変換及び音声出力画面を示す第１乃至第４画面例示図である。
【図６】本発明の第１実施形態に係る単語変換及び音声出力画面を示す第１乃至第４画面例示図である。
【図７】本発明の第１実施形態に係る単語変換及び音声出力画面を示す第１乃至第４画面例示図である。
【図８】本発明の第１実施形態に係る単語変換及び音声出力画面を示す第１乃至第４画面例示図である。
【図９】本発明の第２実施形態に係る複合映像処理機能を有する携帯電話の構成を示すブロック図である。
【図１０】本発明の第２実施形態に係る携帯電話の複合映像処理方法を示す流れ図である。
【図１１】本発明の第２実施形態に係る携帯電話の複合映像処理方法による受信中のデジタル放送を格納すると同時に再生する過程を示す画面例示図である。
【符号の説明】
【０１４７】
１０  ＲＦ通信部
２０  入力部
１１１  文字数字キー
１１２  変換キー
１１３  選択キー
１１４  聴取キー
３０  出力部
３１  映像出力部
３２  音声出力部
４０  変換モジュール  
４１  単語変換部
４２  音声変換部
５０  格納部
５１  テキストＤＢ
５２  音声ＤＢ
６０  制御部
６１  速度調節部
６２  画面分割部
１１０  受信部
１１５  マイク
１１６  カメラ
１１７  放送受信部
１１８  通信部  
１２０  入力部
１３０  分離部
１４０  圧縮／解除部
１５０  格納部
１５１  臨時格納部
１６０  変換部
１７０  処理部
１８０  出力部
１８１  音声出力部
１８２  映像出力部
１９０  制御部
２００  ＲＦ通信部
【図１】
2008301497.tif 000003
【図２】
2008301497.tif 000004
【図３】
2008301497.tif 000005
【図４】
2008301497.tif 000006
【図５】
2008301497.tif 000007
【図６】
2008301497.tif 000008
【図７】
2008301497.tif 000009
【図８】
2008301497.tif 000010
【図９】
2008301497.tif 000011
【図１０】
2008301497.tif 000012
【図１１】
2008301497.tif 000013